(57)【要約】      （修正有）【課題】災害、緊急時等に迅速に安眠できる寝床を限られた場所に提供する。【解決手段】  エアーベット本体１のサイドのサイドバック２に柱３を差し込み骨組みを作り、その上にシート８を被せテントを作る。骨組みの材質、構造により他段式にもできる。限られた空間の中で避難生活をより快適に行えるよう工夫され、またレジャーにも使える多機能多目的なエアーベット。【選択図】図４
2006198371.tif 000002
【特許請求の範囲】
【請求項１】
エアーベット本体の四方八方に柱をサイドバックに取り付け固定し骨組み構造を作りその上にシートを取り付けるものである。
【請求項２】
エアーベット本体の上部に寝袋を取り付けた請求項１記載のエアーベット。
【請求項３】
エアーベット本体の骨組み構造を覆うのテントの間にソーラーライトを取り付けた請求項１又は請求項２に記載のエアーベット。
【請求項４】
エアーベット本体に取り付けてあるシートにファンを取り付けた請求項１ないし請求項３のいずれかに記載のエアーベット。
【請求項５】
エアーベット本体に熱線シート、電気コンセント、電気コードを取り付けた請求項１ないし請求項４のいずれかに記載のエアーベット。
【請求項６】
エアーベット本体にパネルを取り付けた請求項１ないし請求項５のいずれかに記載のエアーベット。
【請求項７】
エアーベット本体とパネル、柱、シートに洗濯収納キットを取り付けた請求項１ないし請求項６のいずれかに記載のエアーベット。
【請求項８】
エアーベット本体にひれを取り付けた請求項１ないし請求項７のいずれかに記載のエアーベット。
【請求項９】
エアーベット本体にハロゲンライト、赤外線ランプを備えた請求項１ないし請求項８のいずれかに記載のエアーベット。
【請求項１０】
エアーベット本体に応急処置用具、薬等を装備できる請求項１ないし請求項９のいずれかに記載のエアーベット。
【請求項１１】
エアーベット本体にポケットを設けた請求項１ないし請求項１１のいずれかに記載のエアーベット。
【発明の詳細な説明】
【技術分野】
【０００１】  本発明は、災害緊急時に迅速に安眠できる寝床を限られた場所に提供するものに関するものである。［背景技術］【０００２】  現在、災害緊急時において寝床の確保ということが個人、行政問わず大問題となっている。万が一大震災が起こった時、建物が倒壊し、また地震による火災により家が焼失した場合、緊急を要するのはその日から必要とする寝床の確保である。また、それはある程度長期になる。今までの震災を見れば明らかである。また、どうしても限られた場所の利用となる。その中に非難しなくてはならない。そのような所だからプレイベートのことは二の次になってしまう。そのため、住民は多くのストレス抱えたり、病気を併発するようになってしまう。特に体力のない高齢者や幼児には大変な苦痛を強いられる。震災が起こった時の今の状況である。［特許文献１］  特開２００１−２５８６８９号    公報［発明の開示］［発明が解決しようとする課題］【０００３】  本発明は、災害緊急時において迅速に安眠できる寝床の提供するものである。現在の災害時の寝床の確保は布団、毛布がほとんどで寝心地が悪く、収納も嵩張る。また、一人で一スペースを使うため二段、他段ベットのように限られたスペースを有効に活かす事ができてない。そして全て丸見えになってしまい、プライベートスペースがなくなってしまう。災害時故致し難いのだが工夫によって解決はできる。場所をとらず携帯しやすくどこでも空気を入れることで寝床ができ、テントもでき、個人スペースも確保でき生活の最低限のことを揃える事ができる。長短期の疲労、ストレスを少しでも和らげるものである。［課題を解決するための手段］【０００４】  上記課題を解決するために、本発明は、以下の手段のエアーベットを提供する。吸入口２６より空気をエアーベット本体１に入れることにより底部を固定し、本体１の横に付いているサイドバック２に柱３を差込み骨組み構造を作る。その上にシート８を覆い固定する。本体１、骨組み、シート８の材質、材料素材はいろいろでき、不燃性，難燃性、防水性、いろいろできる。骨組み、シート８が一体のものもできる。ワンタッチのパラソルのようなものもできる。強度も骨組み、構造により自由にできる。エアーベット本体１の底部にパネル１６を装着することでスペースの有効活用利用のための他段式にもできる。パネル１６の構造もいろいろでき収納庫も設けることもできる。個人のプライバシーを守るため、目隠し、温度を保つため、切断して利用する等多目的に利用できるひれ７を本体１のサイドに設けてある。底部を脚１５を付けることで上げることもできる。迅速に利用できる。【０００５】  また、非常時の日常生活になるべく支障がないような装備品を設けてある。寝袋６は本体１に取り付けてあり、取り外すこともできる。寝袋６の中に非難生活に必要な物を入れて収納することもできる。本体１には熱線シート２７、電気コード２８、コンセント１２、収納ネット５、ポケット２９、ボックス１３、ハロゲンライト３０、赤外線ランプ１１、ひれ７等、  テント、シート８にソーラーライト９、ファン１０、洗濯、収納キット５等、柱３にも収納キット５等いろいろ取りつけてある。このような構成してあることを特徴とする。［発明の効果］【０００６】  上述したように本発明のエアーベットは、災害緊急時に迅速に安眠できる寝床を作ることができる。収納も楽で軽く移動しやすく、また、構造しだいでジャングルジムのように積み上げることができる。他段式になるゆえ限られたスペースを活かすことができる。平面的でけでなく、立体的にスペースを使うことができるので、多くの住民を限られたスペースに一時収容することができる。【０００７】  また、医薬品をはじめ災害時にすぐ必要なものを装備収納してあるので慌てることなく対応できる。一般家庭にも用意しておけばより安心である。また、車のトランクにも十分収納できるので、災害緊急時やレジャーにも使える。エアーベット本体は、形、デザインも自由にでき、素材も自由にできるのでいろいろな用途に利用できる。［発明を実施するための最良の形態］【０００８】  以下、本発明の実施形態について、図面を用いて詳細に説明する。図１はエアーベットの側面図、図２はエアーベットの斜視図、図３はテントシートの断面図、図４はエアーベットにパネルを付けた状態の斜視図、図５はエアーベットにパネルを付けた状態の側面図、図６はエアーベットにパネルと洗濯収納庫を付けた状態の側面図、図７はエアーベットをパネルに付け多段式にした状態の側面図、図８はエアーベットを多数並べ柱を取り付けた状態の側面図である。【０００９】  図１〜図８に基づいて説明する。図１は、エアーベット本体１の吸入口２６より空気を入れ、本体１の四方八方にサイドバック２を取り付けてあり、サイドバック２に柱３を差し込み骨組みを作りその上にテントシート８を被せる。柱３にはフック４があり、収納ネット５を取り付けてあり、洗濯物を干したり衣類等を収納できる。【００１０】  図２は、本体１の上部に寝袋６を取り付けてあり勿論外すこともできる。また、本体１のサイドにひれ７を設けてあり、目隠しを初め、寒さしのぎ、医療等いろいろ利用できる。【００１１】  図３は、テントシート８にソーラーライト９、ファン１０等取り付けてある。他にもいろいろ取り付けることができる。【００１２】  図４は、本体１にはいろいろ装備装着することができ、してある。本体１の上部には寒さ避けの赤外線ランプ１１やハロゲンライト、照明等、また、医療品、薬、飲料水、非常用用品等を入れられるボックス１３、電源を入れるコンセント１２、電気コード等を内臓されており、熱線シート１４も取り付けてある。本体１をパネル１６にのせ、脚１５、支柱１８、横支柱１９を取り付けることで本体底部を上げることができる。軽量な物であれば、パネル１６と脚１５だけでもできる。本体１下部に収納を設けることもできる。【００１３】  図５は、パネル１６の構造であり、支柱１８、横支柱１９にしっかりパネル１６を固定するための固定フック１７、横支柱ストッパー２１、安定板２０等でしっかりと二重事故がおこらない構造にしてある。【００１４】  図６は、パネル１６に洗濯収納庫２２を取り付けたものである。洗濯収納庫２２はパネル１６と一体でも、別にもなる。【００１５】  図７は、支柱１８と横支柱１９とでジャングルジム構造のようにしっかりと連結され、限られたスペースを活用することができる。はしご２３は、はしごフック２４、はし���ストッパー２５でしっかり止められている。【００１６】  図８は、エアーベット本体１を並列させ、柱３を並列させた本体１の外側にたてて骨組みを作ったものである。【００１７】  以上、本発明の実施形態について説明したが、上述の説明に基づいて当業者にとって種々の代替例、修正又は、変形を包含するものである。
【図面の簡単な説明】
【００１８】
【図１】エアーベットの側面図
【図２】エアーベットの斜視図
【図３】テントシートの断面図
【図４】エアーベットにパネルを付けた状態の斜視図
【図５】エアーベットにパネルを付けた状態の側面図
【図６】エアーベットにパネルと洗濯収納庫を付けた状態の側面図
【図７】エアーベットをパネルに付け他段式にした状態の側面図
【図８】エアーベットを並列させ柱を組みたてた状態の正面図
【符号の説明】
【００１９】  １  本体  ２  サイドバック  ３  柱  ４  フック  ５  収納キット  ６  寝袋  ７  ひれ  ８  シート  ９  ソーラーライト１０  ファン１１  赤外線ランプ１２  コンセント１３  ボックス１４  枕１５  脚１６  パネル１７  固定フック１８  支柱１９  横支柱２０  安定板２１  横支柱ストッパー２２  洗濯収納庫２３  はしご２４  はしご用フック２５  はしご用ストッパー２６  吸入口２７  熱線シート２８  電気コード２９  ポケット３０  ハロゲンライト
【図１】
2006198371.tif 000003
【図２】
2006198371.tif 000004
【図３】
2006198371.tif 000005
【図４】
2006198371.tif 000006
【図５】
2006198371.tif 000007
【図６】
2006198371.tif 000008
【図７】
2006198371.tif 000009
【図８】
2006198371.tif 000010